(57)【特許請求の範囲】
【請求項１】
少なくとも一つの吸込口及び少なくとも一つの吹出口を下部に有する本体と、
前記本体内に収容され、且つ、前記吸込口から該本体内に吸込まれ前記吹出口から対象空間へと吹出される空気の流動路中に配置された熱交換器とを備え、
前記吹出口は、熱交換器出口側風路壁と、該熱交換器出口側風路壁に対向する対向側風路壁との間にあり、
前記熱交換器出口側風路壁の厚さＬ１は、前記吹出口の入口幅をＬ２とすると、０．１５Ｌ２〜０．２５Ｌ２であり、
前記熱交換器出口側風路壁の上端における吹出口側の部分には、風路側に向けて凸となる曲面で構成された曲面部が形成されており、
前記曲面部の厚さ方向範囲Ｌ３は、０．４Ｌ１以上であり、
前記熱交換器出口側風路壁の長手方向の両端部に位置する前記曲面部のほうが、前記熱交換器出口側風路壁の長手方向の中央部に位置する前記曲面部よりも大きい、
空気調和機。
【請求項２】
前記熱交換器出口側風路壁の上端は、曲面部と、平面部とを有しており、
前記曲面部は、風路側に向けて凸となる曲面で構成され、且つ、前記熱交換器出口側風路壁の上端における前記吹出口の中央部に近い側に位置しており、
前記平面部は、前記熱交換器出口側風路壁の上端において、前記曲面部よりも前記熱交換器に近い側に位置している、
請求項１の空気調和機。
【請求項３】
前記熱交換器出口側風路壁は、曲面部と、平面部とを有しており、
前記曲面部は、風路側に向けて凸となる曲面で構成され、且つ、前記熱交換器出口側風路壁の上端に位置しており、
前記平面部は、前記曲面部よりも吹出口の中央部に近い側に位置し、且つ、前記熱交換器出口側風路壁における前記対向側風路壁と対向する領域の最上流側の部分に位置している、
請求項１の空気調和機。
【請求項４】
前記熱交換器出口側風路壁は、段差を有しており、
前記段差は、前記熱交換器出口側風路壁における前記対向側風路壁と対向する領域に位置しており、
前記熱交換器出口側風路壁における前記段差よりも下方の領域は、前記対向側風路壁から離れる側に凹んでいる、
請求項１〜３の何れか一項の空気調和機。
【請求項５】
前記熱交換器出口側風路壁と前記熱交換器との距離Ｌ５は、前記熱交換器出口側風路壁の厚さＬ１より小さい、
請求項１〜４の何れか一項の空気調和機。
【請求項６】
少なくとも一つの吸込口及び少なくとも一つの吹出口を下部に有する本体と、
前記本体内に収容され、且つ、前記吸込口から該本体内に吸込まれ前記吹出口から対象空間へと吹出される空気の流動路中に配置された熱交換器とを備え、
前記吹出口は、熱交換器出口側風路壁と、該熱交換器出口側風路壁に対向する対向側風路壁との間にあり、
前記熱交換器出口側風路壁の厚さＬ１は、前記吹出口の入口幅をＬ２とすると、０．１５Ｌ２〜０．２５Ｌ２であり、
前記熱交換器出口側風路壁の長手方向の両端部の厚さＬ１’は、前記熱交換器出口側風路壁の長手方向の中央部の厚さＬ１よりも大きい、
空気調和機。
【発明の詳細な説明】
【技術分野】
【０００１】
本発明は、空気調和機に関するものである。
【背景技術】
【０００２】
従来の天井埋め込み型の空気調和機としては、例えば、特許文献１に開示されたものがある。この空気調和機においては、下面がフラット化された風向調節部材が、吹出口に配置されており、吹出口上流の吹出流路を画定する風路壁の送風機側上端には、凸曲面が形成されている。
【先行技術文献】
【特許文献】
【０００３】
【特許文献１】特開２０１２−２５１６７６号公報（第１図）
【発明の概要】
【発明が解決しようとする課題】
【０００４】
しかしながら、従来の天井埋込形の空気調和機においては、吹出口における通風抵抗の存在に起因し、風量が不十分であったり、騒音が生じたりするという問題がある。例えば、その一因として、熱交換器を通過した空気が吹出口に流入する際、吹出口の入口部で生じる気流のはく離がある。すなわち、はく離が生じると、通風抵抗が増大するため、風量が低下すると共に、騒音が大きくなる。【０００５】
また、このような問題に関し、上述した特許文献１に開示の空気調和機では、風路壁の形状を工夫しただけであり、風量の確保と騒音の低減までを考慮したものではない。【０００６】
本発明は、上記に鑑みてなされたものであり、通風抵抗の増大を抑制し、十分な風量の確保と騒音の低減とを図ることができる、空気調和機を提供することを目的とする。
【課題を解決するための手段】
【０００７】
上述した目的を達成するため、本発明の空気調和機は、少なくとも一つの吸込口及び少なくとも一つの吹出口を下部に有する本体と、前記本体内に収容され、且つ、前記吸込口から該本体内に吸込まれ前記吹出口から対象空間へと吹出される空気の流動路中に配置された熱交換器とを備え、前記吹出口は、熱交換器出口側風路壁と、該熱交換器出口側風路壁に対向する対向側風路壁との間にあり、前記熱交換器出口側風路壁の厚さＬ１は、前記吹出口の入口幅をＬ２とすると、０．１５Ｌ２〜０．２５Ｌ２である。
前記熱交換器出口側風路壁の上端における吹出口側の部分には、風路側に向けて凸となる曲面で構成された曲面部が形成されており、前記曲面部の厚さ方向範囲Ｌ３は、０．４Ｌ１以上である、ように構成してもよい。
前記熱交換器出口側風路壁の上端は、曲面部と、平面部とを有しており、前記曲面部は、風路側に向けて凸となる曲面で構成され、且つ、前記熱交換器出口側風路壁の上端における前記吹出口の中央部に近い側に位置しており、前記平面部は、前記熱交換器出口側風路壁の上端において、前記曲面部よりも前記熱交換器に近い側に位置している、ように構成してもよい。
前記熱交換器出口側風路壁は、曲面部と、平面部とを有しており、前記曲面部は、風路側に向けて凸となる曲面で構成され、且つ、前記熱交換器出口側風路壁の上端に位置しており、前記平面部は、前記曲面部よりも吹出口の中央部に近い側に位置し、且つ、前記熱交換器出口側風路壁における前記対向側風路壁と対向する領域の最上流側の部分に位置している、ように構成してもよい。
前記熱交換器出口側風路壁の長手方向の両端部に位置する前記曲面部のほうが、前記熱交換器出口側風路壁の長手方向の中央部に位置する前記曲面部よりも大きい、ように構成してもよい。
前記熱交換器出口側風路壁は、段差を有しており、前記段差は、前記熱交換器出口側風路壁における前記対向側風路壁と対向する領域に位置しており、前記熱交換器出口側風路壁における前記段差よりも下方の領域は、前記対向側風路壁から離れる側に凹んでいる、
ように構成してもよい。
前記熱交換器出口側風路壁と前記熱交換器との距離Ｌ５は、前記熱交換器出口側風路壁の厚さＬ１より小さい、ように構成してもよい。
前記熱交換器出口側風路壁の長手方向の両端部の厚さＬ１’は、前記熱交換器出口側風路壁の長手方向の中央部の厚さＬ１よりも大きい、ように構成してもよい。
【発明の効果】
【０００８】
本発明によれば、通風抵抗の増大を抑制し、十分な風量の確保と騒音の低減とを図ることができる。
【図面の簡単な説明】
【０００９】
【図１】本発明の実施の形態１に係る空気調和機の内部構造を側方から示した図である。
【図２】本実施の形態１に係る空気調和機の吹出口を側方から示した図である。
【図３】本実施の形態１に係る空気調和機に関し、Ｌ１／Ｌ２に対する風量の変化を示す特性図である。
【図４】本発明の実施の形態２に関する、図２と同態様の図である。
【図５】本実施の形態２に係る空気調和機に関し、Ｌ３／Ｌ１に対する風量の変化を示す特性図である。
【図６】本発明の実施の形態３に関する、図２と同態様の図である。
【図７】本発明の実施の形態４に関する、図２と同態様の図である。
【図８】本発明の実施の形態５に関する、図２と同態様の図である。
【図９】本発明の実施の形態６に関する、図２と同態様の図である。
【図１０】本発明の実施の形態７に係る空気調和機の吹出口を上方から示す図である。
【発明を実施するための形態】
【００１０】
以下、本発明に係る空気調和機の実施の形態について添付図面に基づいて説明する。なお、図中、同一符号は同一又は対応部分を示すものとする。
【００１１】
実施の形態１．
図１は、本発明の実施の形態１に係る空気調和機の内部構造を側方から示す模式図である。より詳細には、本実施の形態１に係る空気調和機は、いわゆるパッケージエアコンの室内機であり、図１は、空気調和機本体の主要部が部屋の天井裏に埋設され、本体下部が部屋の室内に面した状態を示している。
【００１２】
天井埋込形である空気調和機は、本体２０と、熱交換器３とを備えている。空気調和機の本体２０は、対象空間である部屋の天井面１５の裏側（部屋と逆側）に埋め込まれている。
【００１３】
一例であるが、本実施の形態１では、本体２０は、平面視矩形の本体天板５と、本体天板５の四辺から下方に延びる四面の本体側板４とを有している。換言すると、本体２０は、四つの本体側板４からなる角筒体の上端面が本体天板５によって閉塞された箱体である。
【００１４】
本体の下部には、すなわち、上記の箱体でいう開放された下端面には、化粧パネル６が、本体に対して着脱自在に取り付けられている。図１に示されるように、本体天板５は天井面１５よりも上方に位置し、化粧パネル６は天井面１５とほぼ同一面に位置している。
【００１５】
また、空気調和機の本体２０は、少なくとも一つの吸込口及び少なくとも一つの吹出口９を有している。化粧パネル６の中央付近には、本体への空気の吸込口である吸込グリル７が設けられている。吸込グリル７の内側には、吸込グリル７を通過した後の空気を除塵するフィルタ８が設けられている。
【００１６】
一例であるが、本実施の形態１では、化粧パネル６及び吸込グリル７はそれぞれ平面視矩形の外縁を有している。
【００１７】
化粧パネル６の外縁と、吸込グリル７の外縁との間の領域には、空気の吹出口である複数の吹出口９が設けられている。本実施の形態１では、化粧パネル１５及び吸込グリル７それぞれが、４辺の外縁を有していることに対応し、吹出口９は、４つ設けられており、吹出口９それぞれが、化粧パネル６及び吸込グリル７における対応する辺に沿うように配置されている。また、４つの吹出口９は、吸込グリル７を包囲するように位置している。各吹出口９には、吹出す空気の方向を調整する風向板１３が設けられている。
【００１８】
本体内の中央部には、ファンモータ２が配置されている。ファンモータ２は、本体天板５の下面（本体の内部空間側）に支持されている。ファンモータ２における下向きに延びる回転軸には、送風部としてのターボファン１が取り付けられている。さらに、ターボファン１と吸込グリル７との間には、吸込グリル７からターボファン１に向かう吸込風路を形成するベルマウス１４が設けられている。ターボファン１は、吸込グリル７から本体内に空気を吸込み、その空気を吹出口９から対象空間である室内１７へと流出させる。
【００１９】
ターボファン１における径方向外側には、熱交換器３が配置されている。換言するならば、熱交換器３は、本体２０内に収容されており、特に、吸込口（吸込グリル７）から本体２０内に吸込まれ吹出口９から対象空間へと吹出される空気の流動路中に配置されて、その空気と冷媒との間で熱交換を行う。
【００２０】
熱交換器３は、水平方向に所定の間隔をあけて配置された複数のフィンと、それらフィンを貫通する伝熱管とを有し、伝熱管は、図示しない周知の室外機に接続配管によって接続されており、それにより熱交換器３には、冷却された冷媒または加熱された冷媒が供給される。なお、ターボファン１、ベルマウス１４、熱交換器３の構成や態様は特に限定されるものではなく、本実施の形態１では周知のものが用いられている。
【００２１】
このような構成において、ターボファン１が回転すると室内１７の空気が化粧パネル６の吸込グリル７に吸い込まれる。そして、フィルタ８において除塵された空気は、本体吸込口を構成するベルマウス１４によって案内されてターボファン１に吸い込まれる。さらに、ターボファン１では、下方から上方に向かって吸い込まれた空気が、水平方向に、且つ、径方向でいう外側方向に、吹き出される。そのように吹き出された空気は、熱交換器３を通過する際に、熱交換及び湿度調整された後、流れ方向を下方に変更して、吹出口９それぞれから室内１７に吹き出される。
【００２２】
次に、吹出口９の詳細について図１〜図３を参照して説明する。図２は本実施の形態１に関する一つの吹出口９の縦断面を示す図である。また、本実施の形態では、熱交換器出口側風路壁の縦断面は、長手方向（上下方向及び幅方向の双方と直交する方向、長さ方向）にわたって同一に維持されているものとする。
【００２３】
図１に示されるように、吹出口９は、平面視、熱交換器３と、本体側板４との間にある。より詳細には、図２に示されるように、熱交換器出口側風路壁１０と、その熱交換器出口側風路壁１０に対向する対向側風路壁１１との間にある。吹出口９における本体中央側（熱交換器側・送風機側）は、熱交換器出口側風路壁１０で画定されており、吹出口９における化粧パネル６の外縁側は、本体の側板側である対向側風路壁１１で画定されている。熱交換器出口側風路壁１０の両端と対向側風路壁１１の両端とは、一対の側壁（図１０に符号１２で示された壁部）でつながっている。熱交換器３を通過した気流は、熱交換器出口側風路壁１０側から吹出口９に流入する。
【００２４】
本実施の形態１では、吹出口９の熱交換器出口側風路壁１０の厚さをＬ１、吹出口９の入口幅をＬ２としたとき、Ｌ１が０．１５Ｌ２〜０．２５Ｌ２の範囲としている。Ｌ１／Ｌ２と風量との関係を図３に示す。図３に示されるように、熱交換器出口側風路壁１０の厚さＬ１＜０．１５Ｌ２とした場合は、気流が、吹出口９に流入する際に吹出口９の入口部において気流のはく離が大きく生じ、通風抵抗が増大し、風量が低下する。一方、熱交換器出口側風路壁１０の厚さＬ１＞０．２５Ｌ２とした場合は、風路幅の縮小により、通風抵抗が増大し、風量が低下する。これに対して、本実施の形態１のように、Ｌ１が０．１５Ｌ２〜０．２５Ｌ２の範囲内では、十分な風量が確保されている。
【００２５】
以上のように構成された本実施の形態１に係る空気調和機によれば、熱交換器出口側風路壁１０の厚さＬ１を０．１５Ｌ２〜０．２５Ｌ２の範囲とすることで、気流のはく離による通風抵抗の増大、および、吹出口の縮小による通風抵抗の増大、を抑制することができる。これにより、流量の十分な確保、騒音の低減、さらには省エネ性の実現が可能である。さらに、気流のはく離縮小により、風速の低下を抑制することができ、その結果、室内空気の巻き込みに起因した風向板の結露の発生を防止することができる。
【００２６】
実施の形態２．
次に、図４と図５に基づいて本発明の実施の形態２について説明する。図４は、本実施の形態２に関する一つの吹出口９の縦断面を示す図である。また、本実施の形態では、熱交換器出口側風路壁の縦断面は、長手方向にわたって同一に維持されているものとする。なお、本実施の形態２の空気調和機は、以下に説明する部分を除いては、実施の形態１と同様であるものとする。
【００２７】
本実施の形態２においては、吹出口９を画定する熱交換器出口側風路壁１１０の上端における吹出口側の部分（熱交換器から流出し吹出口を流下する気流でいう下流側）に、曲面部１２１が形成されている。曲面部１２１は、上方（風路壁内部側ではなく外側・風路側）に向けて凸となる曲面で構成されている。曲面部１２１の厚さ方向範囲Ｌ３は、０．４Ｌ１以上である。曲面部１２１は、例えば、少なくとも一つ以上の曲率半径で形成されていても、連続的に半径が変化する曲面で形成されていてもいい。なお、Ｌ３は、最大でもＬ１である（Ｌ３≦Ｌ１）。
【００２８】
Ｌ３／Ｌ１と風量との関係を図５に示す。図５から分かるように、Ｌ３／Ｌ１＜０．４では、Ｌ３が大きいほど風量が増加し、Ｌ３／Ｌ１≧０．４では、Ｌ３によらず風量はほぼ一定となる。よって、本実施の形態２では、曲面部１２１の厚さ方向範囲Ｌ３を、０．４Ｌ１以上とし、ほぼ一定の大きな風量を維持できるようにする。
【００２９】
このように構成された本実施の形態２に係る空気調和機においても、上記実施の形態１と同様な利点が得られている。さらに加えて、実施の形態２においては、熱交換器出口側風路壁１１０の上端を曲面形状としたことで、気流のはく離を抑制することができ、通風抵抗の増大を抑制することができる。これによって、いっそう、省エネ性の改善、送風音の低減および室内空気の巻き込みによる結露防止を図ることが可能となる。
【００３０】
実施の形態３．
次に、図６に基づいて本発明の実施の形態３について説明する。図６は本実施の形態３に関する一つの吹出口９の縦断面を示す図である。また、本実施の形態では、熱交換器出口側風路壁の縦断面は、長手方向にわたって同一に維持されているものとする。なお、本実施の形態３の空気調和機は、以下に説明する部分を除いては、実施の形態１又は２と同様であるものとする。
【００３１】
本実施の形態３の空気調和機においては、熱交換器出口側風路壁２１０の上端に、曲面部２２１と、平面部２２３とを有している。曲面部２２１は、熱交換器出口側風路壁２１０の上端における吹出口９の中央部に近い側に位置しており、平面部２２３は、熱交換器出口側風路壁２１０の上端において、曲面部２２１よりも熱交換器３に近い側（吹出口９の中央部から離れる側）すなわち熱交換器３から流出し吹出口９を流下する気流でいう上流側に位置している。曲面部２２１は、上方に向けて凸となる曲面で構成されている。平面部２２３は、曲面部２２１と連続するように形成されている。平面部２２３の厚さ方向範囲Ｌ４は、１ｍｍ以上あることが望ましい。
【００３２】
このように構成された本実施の形態３に係る空気調和機においても、上記実施の形態１又は２と同様な利点が得られている。さらに加えて、実施の形態３においては、熱交換器出口側風路壁２１０の上端の曲面部２２１の上流側に平面部２２３が存在するため、曲面部２２１に流入する前の気流が、熱交換器出口側風路壁２１０の壁面に張り付きやすくなり、曲面部２２１における気流のはく離をいっそう抑制することができる。これによって、いっそう、省エネ性の改善、送風音の低減および室内空気の巻き込みによる結露防止を図ることが可能となる。
【００３３】
実施の形態４．
次に、図７に基づいて本発明の実施の形態４について説明する。図７は本実施の形態４に関する一つの吹出口９の縦断面を示す図である。また、本実施の形態では、熱交換器出口側風路壁の縦断面は、長手方向にわたって同一に維持されているものとする。なお、本実施の形態４の空気調和機は、以下に説明する部分を除いては、実施の形態１〜３の何れかと同様であるものとする。
【００３４】
本実施の形態４の空気調和機における熱交換器出口側風路壁３１０は、曲面部３２１と、平面部３２５とを有している。曲面部３２１は、熱交換器出口側風路壁３１０の上端に位置している。曲面部３２１は、上方に向けて凸となる曲面で構成されている。平面部３２５は、曲面部３２１よりも吹出口９の中央部に近い側すなわち熱交換器３から流出し吹出口９を流下する気流でいう下流側に位置している。加えて、平面部３２５は、熱交換器出口側風路壁３１０の上端のすぐ下流部分に、すなわち、熱交換器出口側風路壁３１０における対向側風路壁１１と対向する領域の最も上流側の部分に位置している。平面部３２５は、曲面部３２１と連続するように形成されている。
【００３５】
このように構成された本実施の形態４に係る空気調和機においても、上記実施の形態１〜３の対応する何れかと同様な利点が得られている。さらに加えて、実施の形態４においては、熱交換器出口側風路壁３１０の上端の曲面部３２１の下流側に平面部３２５を設けたことで、曲面部３２１で気流がはく離を生じても、気流の再付着を促進できる。これによって、いっそう、省エネ性の改善、送風音の低減および室内空気の巻き込みによる結露防止を図ることが可能となる。
【００３６】
実施の形態５．
次に、図８に基づいて本発明の実施の形態５について説明する。図８は本実施の形態５に関する一つの吹出口９の縦断面を示す図である。また、本実施の形態では、熱交換器出口側風路壁の縦断面は、長手方向にわたって同一に維持されているものとする。なお、本実施の形態５の空気調和機は、以下に説明する部分を除いては、実施の形態１〜４の何れかと同様であるものとする。
【００３７】
本実施の形態５の空気調和機における熱交換器出口側風路壁４１０は、段差４２７が形成されている。段差４２７は、熱交換器出口側風路壁４１０における対向側風路壁１１と対向する領域に位置している。熱交換器出口側風路壁４１０における段差４２７よりも下方（熱交換器３から流出し吹出口９を流下する気流でいう下流側）の領域は、対向側風路壁１１から離れる側に凹んでいる。
【００３８】
このように構成された本実施の形態５に係る空気調和機においても、上記実施の形態１〜４の対応する何れかと同様な利点が得られている。さらに加えて、実施の形態５においては、熱交換器出口側風路壁４１０の上端から対向側風路壁１１と対向する領域にかけて気流がはく離し、はく離領域で渦が生じても、段差４２７により渦を小さくできる。これによっても、省エネ性の改善、送風音の低減および室内空気の巻き込みによる結露防止を図ることが可能となる。  
【００３９】
実施の形態６．
次に、図９に基づいて本発明の実施の形態６について説明する。図９は本実施の形態６に関する一つの吹出口９の縦断面を示す図である。また、本実施の形態では、熱交換器出口側風路壁の縦断面は、長手方向にわたって同一に維持されているものとする。なお、本実施の形態６の空気調和機は、以下に説明する部分を除いては、実施の形態１〜５の何れかと同様であるものとする。また、図９は、あくまでも一例を図示しており、本実施の形態５を、上述した実施の形態４に組み合わせた態様を図示している。
【００４０】
本実施の形態６の空気調和機では、熱交換器出口側風路壁５１０と熱交換器３との距離Ｌ５は、熱交換器出口側風路壁５１０の厚さＬ１より小さくなるように設定されている。
【００４１】
このように構成された本実施の形態６に係る空気調和機においても、上記実施の形態１〜５の対応する何れかと同様な利点が得られている。さらに加えて、実施の形態６においては、熱交換器出口側風路壁５１０と熱交換器３との距離Ｌ５が熱交換器出口側風路壁１０の厚さＬ１より小さいため、熱交換器出口側風路壁５１０の上端より低い位置の熱交換器３を通過する気流を低下させることができ、気流が熱交換器出口側風路壁５１０を乗り越える際に生じるはく離を抑制することができる。これによって、いっそう、省エネ性の改善、送風音の低減および室内空気の巻き込みによる結露防止を図ることが可能となる。
【００４２】
実施の形態７．
次に、図１０に基づいて本発明の実施の形態７について説明する。図１０は本発明の実施の形態７に関する一つの吹出口９を上方から見た図である。なお、本実施の形態７の空気調和機は、以下に説明する部分を除いては、実施の形態１〜６の何れかと同様であるものとする。また、実施の形態１〜６のそれぞれにおける特徴は、熱交換器出口側風路壁の長手方向の中央部に関して適用されているものとする。
【００４３】
図１０に示されるように、吹出口９は、平面視、熱交換器出口側風路壁６１０と、対向側風路壁１１と、それら熱交換器出口側風路壁６１０の両端と対向側風路壁１１の両端をつなぐ一対の側壁１２とによって画定されている。本実施の形態７では、熱交換器出口側風路壁６１０の長手方向の両端部の厚さＬ１’を、熱交換器出口側風路壁６１０の長手方向の中央部の厚さＬ１よりも大きくしている。
【００４４】
このように構成された本実施の形態７に係る空気調和機においても、上記実施の形態１〜６の対応する何れかと同様な利点が得られている。さらに加えて、実施の形態７においては、次のような利点も得られる。すなわち、吹出口９全体の気流の流れを考えると、吹出口９における長手方向の両端部においては、熱交換器出口側風路壁６１０側からだけでなく一対の側壁１２側からも空気が流入する。このため、吹出口９における長手方向の両端部は、吹出口９における長手方向の中央部よりもはく離が生じやすい傾向にある。これに対して、本実施の形態７では、熱交換器出口側風路壁６１０の長手方向の両端部の厚さＬ１’を、熱交換器出口側風路壁６１０の長手方向の中央部の厚さＬ１よりも大きくすることで、吹出口９における長手方向の両端部に流入する気流を低減させ、長手方向全体でみて気流のはく離を抑制することができる。これによって、いっそう、省エネ性の改善、送風音の低減および室内空気の巻き込みによる結露防止を図ることが可能となる。
【００４５】
実施の形態８．
次に、本発明の実施の形態８について説明する。なお、本実施の形態８の空気調和機は、以下に説明する部分を除いては、実施の形態１〜７の何れかと同様であるものとする。また、実施の形態１〜７のそれぞれにおける特徴は、熱交換器出口側風路壁の長手方向の中央部に関して適用されているものとする。
【００４６】
本実施の形態８においては、実施の形態１〜７の何れかにおいて、吹出口９の熱交換器出口側風路壁の上端に設けられている曲面部に関し、熱交換器出口側風路壁の長手方向の両端部に位置する曲面部のほうが、熱交換器出口側風路壁の長手方向の中央部に位置する曲面部よりも大きいことを特徴とする。この大きさについては、曲面部を構成する凸部の大きさ、曲面部を有する部分における熱交換器出口側風路壁の幅、熱交換器出口側風路壁における曲面部の上下方向に関する形成範囲、側方からみた（図２の態様でみた）曲面部の占有範囲、の何れかに関する比較に基づくものである。なお、この点につき、図１０は、曲面部を有する部分における熱交換器出口側風路壁の幅に関する比較でみた場合の、本実施の形態８の一態様を示す図でもある。
【００４７】
このように構成された本実施の形態８に係る空気調和機においても、上記実施の形態１〜７の対応する何れかと同様な利点が得られている。また、実施の形態８においても、熱交換器出口側風路壁における曲面部において、上述した実施の形態７の特有の利点と同様な利点が得られ、省エネ性の改善、送風音の低減および室内空気の巻き込みによる結露防止を図ることが可能となる。
【産業上の利用可能性】
【００４８】
本発明の活用例として、冷凍サイクル装置を構成する室内機、例えば空気調和機の室内機、その他、送風機が設置される各種装置や設備などに広く利用することができる。【００４９】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００５０】
３  熱交換器、９  吹出口、１０、１１０、２１０、３１０、４１０、５１０、６１０  熱交換器出口側風路壁、１１  対向側風路壁、１２１、２２１、３２１  曲面部、２２３、３２５  平面部、４２７  段差。
【図１】
0006008993.tif 000002
【図２】
0006008993.tif 000003
【図３】
0006008993.tif 000004
【図４】
0006008993.tif 000005
【図５】
0006008993.tif 000006
【図６】
0006008993.tif 000007
【図７】
0006008993.tif 000008
【図８】
0006008993.tif 000009
【図９】
0006008993.tif 000010
【図１０】
0006008993.tif 000011